(57)【要約】【課題】被収容物を長期間保存するのに最適であり、収容直後の状態を長期間保つことができる被収容物保存容器及びその被収容物保存容器の製造方法を提供する。【解決手段】イベント会場の現場で、贈り主が選択した記念品Ａを容器本体２に収容した後、上蓋部３を容器本体２の開口部２ａに嵌合して、そのイベント会場に運び込まれた携帯可能な小型の密封機５により略気密状態に密封して、記念品Ａが収容された略缶形状の被収容物保存容器１を製造する。【選択図】　図１
2004042914.tif 000002
【特許請求の範囲】
【請求項１】
イベント会場の現場で、記念品等の被収容物が収容された保存容器を略気密状態に密封した
被収容物保存容器。
【請求項２】
上記被収容物及び贈り主に関する情報を、上記保存容器の外面に表示した
請求項１記載の被収容物保存容器。
【請求項３】
上記保存容器内部の空気中に含まれる酸素を吸着する酸素吸着剤及び又は該空気中に含まれる水分を吸着する水分吸着剤を所定量収容した
請求項１又は２記載の被収容物保存容器。
【請求項４】
上記保存容器内部の空気を抜気手段で抜き取って略真空状態に抜気した
請求項１，２又は３記載の被収容物保存容器。
【請求項５】
イベント会場の現場で、記念品等の被収容物を保存容器に収容した後、
上記保存容器を携帯可能な小型の密封手段により略気密状態に密封して製造する被収容物保存容器の製造方法。
【請求項６】
上記保存容器を密封する前又は密封した後、上記被収容物及び個人、贈り主に関する情報を上記保存容器の外面に表示する
請求項５記載の被収容物保存容器の製造方法。
【請求項７】
上記保存容器を密封するまえに、上記保存容器内部の空気中に含まれる酸素を吸着する酸素吸着剤及び又は該空気中に含まれる水分を吸着する水分吸着剤を所定量収容する
請求項５又は６記載の被収容物保存容器。
【請求項８】
上記保存容器を密封するとき、該保存容器内部の空気を抜気手段で抜き取って略真空状態に抜気する
請求項５，６又は７記載の被収容物保存容器の製造方法。
【発明の詳細な説明】
【０００１】
【発明の属する技術分野】
この発明は、例えば結婚や出産、忌日、冠婚葬祭の記念品及び贈答品等の被収容物を長期間保存することができる被収容物保存容器及びその被収容物保存容器の製造方法に関する。
【０００２】
【従来の技術】
従来、上述例の贈答品が収容された贈答缶としては、例えば贈り主が選択した贈答品を略円筒状の贈答缶内部に収容し、その贈答缶の外壁面に、贈り主に関する情報が記載された贈答缶（特開２０００−１２２５４７号公報、特開２００２−１２８０８８号公報）がある。
【０００３】
【発明が解決しようとする課題】
しかし、上述の贈答品を贈答缶内部に収容する場合、贈答品が収容された贈答缶の密封作業を何処で行うかが不明であり、会場及び現場の雰囲気を贈答品と一緒に収容することができない。且つ、特定の場所に設置された密封機で贈答缶を密封しなければならず、密封する作業に手間及び時間が掛かる。
【０００４】
また、水分を含んだ周囲の空気も一緒に密封してしまうので、空気中に含まれる水分含有率が高いと、腐食や錆等が金属製の贈答缶内部に発生しやすく、気密性が損なわれてしまう。且つ、空気中に含まれる水分が贈答品に付着すると、染みや皺等の原因となるため、収容直後の状態を長期間保つことが難しいという問題点を有している。
【０００５】
また、空気中に含まれる酸素が、雑菌や微生物等の繁殖及び成長を助けるため、食品や飲み物等の贈答品の鮮度が短期間で損なわれるだけでなく、特有の臭いが発生し、贈答品に付いたり、商品価値が損なわれるという問題点も有している。
【０００６】
この発明は上記問題に鑑み、イベント会場の現場で、記念品等の被収容物が収容された保存容器を略気密状態に密封することにより、現場の雰囲気も被収容物と一緒に密封することができ、収容直後の状態を長期間保つことができる被収容物保存容器及びその被収容物保存容器の製造方法の提供を目的とする。
【０００７】
【課題を解決するための手段】
この発明は、イベント会場の現場で、記念品等の被収容物が収容された保存容器を略気密状態に密封した被収容物保存容器であることを特徴とする。及び、イベント会場の現場で、記念品等の被収容物を保存容器に収容した後、上記保存容器を携帯可能な小型の密封手段により略気密状態に密封して製造する被収容物保存容器の製造方法であることを特徴とする。
【０００８】
上述の被収容物は、例えば結婚式の出席者名簿、本人や参加者からのメッセージ記載物（プロポーズの言葉や寄せ書き）、記念の写真、食事のメニュー、現場の空気、その他の思い出に残る物及び出産祝や臍の緒、出産祈願のお守り、その他の祝物等の記念品又は贈答品で構成することができる。また、保存容器は、例えば金属やプラスチック、ガラス、セラミックス、木等の単一又は複合した材質で形成され、例えば缶や瓶、ボトル等の剛性を有する保存容器或いは柔軟性を有する袋状の保存容器等で構成することができる。つまり、イベント会場の現場で、記念品等の被収容物を保存容器に収容した後、その保存容器を、そのイベント会場に運び込まれた携帯可能な小型の密封手段（例えば密封機）により略気密状態に密封する。
【０００９】
実施の形態として、上記保存容器を密封する前又は密封した後、被収容物及び贈り主に関する情報（例えば広告や会社名、個人名、商品名、メッセージ（プロポーズの言葉や寄せ書き）、電話番号、住所、日時等の記念品及び贈答品、贈り主に関する情報）を、保存容器の外面に表示（例えば情報が印刷されたシールやラベルを容器本体や蓋部の外面に貼付するか、外周面に巻き付けて装着する。或いは、その情報を容器本体や蓋部の外面に直接印刷する等）することができる。
【００１０】
また、上記保存容器を密封するまえに、保存容器内部の空気中に含まれる酸素を吸着する酸素吸着剤及び又は該空気中に含まれる水分を吸着する水分吸着剤を、該保存容器内部に所定量収容することができる。また、上記保存容器を密封するとき、保存容器内部の空気を抜気手段（例えば真空ポンプや吸気ブロワ等）で抜き取って略真空状態に抜気することができる。なお、現場の空気を被収容物として密封する場合、保存容器内部の空気を抜気せず、例えば酸素吸着剤や水分吸着剤等を収容して、被収容物を長期間保存するのに適した状態にする。
【００１１】
【作用及び効果】
この発明によれば、イベント会場の現場で、記念品等の被収容物が収容された保存容器を略気密状態に密封するので、現場の雰囲気も被収容物と一緒に密封することができ、その日の思い出を半永久的に保存しておくことができる。且つ、外光及び外気が被収容物に触れたり、湿気を含んだ外気が保存容器内部に侵入するのを確実に阻止することができ、被収容物の変質や変色、劣化が抑えられるため、被収容物を長期間保存するのに最適であり、収容直後の状態を長期間保つことができる。
【００１２】
且つ、携帯可能な小型の密封装置を用いて密封するので、所望する場所及び会場に持運ぶのに大変便利であり、略気密状態に密封する作業を様々な場所及び会場で行うことができる。且つ、保存容器内部の酸素含有率及び水分含有率を低減したり、略真空状態に抜気して密封するので、腐食や錆等が金属製の容器に発生しにくく、気密性を長期間維持することができると共に、染みや皺、カビ、臭い等が被収容物に付くのを防止することができ、収容直後の良好な状態を半永久的に保つことができる。
【００１３】
【実施例】
この発明の一実施例を以下図面に基づいて詳述する。
図面は、被収容物の一例である個人向けの記念品を長期間保存するのに適した被収容物保存容器及びその被収容物保存容器の製造方法を示し、図１及び図２に於いて、この被収容物保存容器１は、例えば結婚式や葬式等のイベント会場の現場で、個人又は贈り主が選択した記念品Ａを、略円筒状に形成された金属製の容器本体２内部に対して上端側開口部２ａ及び下端側開口部２ｂの何れか一方から収容し、上蓋部３及び下蓋部４を、容器本体２の開口部２ａ，２ｂに対してそれぞれ嵌合した後、開口部２ａ，２ｂに嵌合された上蓋部３及び下蓋部４の外周縁部を、携帯可能な小型の密封機５によりカーリング加工及び折り曲げ加工して、容器本体２の開口部２ａ，２ｂを気密性が保持される状態に密封及びシールする。また、被収容物保存容器１を、例えば平面から見て略楕円形や略正方形、略長方形、略三角形等の所望する形状に形成してもよい。
【００１４】
上述の記念品Ａが収容される被収容物保存容器１の製造方法を説明する。
先ず、図１に示すように、例えば写真や出席者名簿、メッセージカード、食事のメニュー、その他の思い出に残る物等の記念用又は贈答用の記念品Ａを、イベント会場の現場で被収容物保存容器１に収容する場合、下蓋部４を、容器本体２の下端側開口部２ｂに嵌合するか、容器本体２の下端側開口部２ｂに対して予め気密状態に固定しておき、記念品Ａを、容器本体２内部に対して上端側開口部２ａから収容した後、上蓋部３を、容器本体２の上端側開口部２ａに嵌合する。
【００１５】
次に、図２に示すように、容器本体２を、イベント会場に運び込まれた密封機５を構成するシールヘッド５ａ，５ｂ間に装填して、シールヘッド５ａ，５ｂを、容器本体２の開口部２ａ，２ｂに嵌合された上蓋部３及び下蓋部４に押し付ける、且つ、シールヘッド５ａに取り付けられた柔軟性を有する吸着パッド６を、開口部２ａの外周縁部に対して気密状態に押し付け、容器本体２内部の空気を、シールヘッド５ａ及び吸着パッド６に接続された例えば真空ポンプや吸気ブロワ等の抜気装置７の吸引力により強制的に抜き取り、略真空状態に抜気すると共に、上蓋部３及び下蓋部４を、容器本体２の開口部２ａ，２ｂに対して略気密状態に密封固定して、図４、図５に示すように、記念品Ａが収容された略缶形状の被収容物保存容器１を製造する。
【００１６】
且つ、例えば広告や会社名、個人名、商品名、メッセージ、電話番号、住所、日時等の記念品Ａ及び個人、贈り主に関する様々な情報が印刷された表示ラベルＢを、密封前又は密封後の容器本体２の外周面に貼付するか、その外周面に巻き付けて装着するので、記念品Ａ及び個人、贈り主に関する情報を外部から目視確認することができ、記念品Ａを取り出して確認する必要がない。また、表示ラベルＢを上蓋部３又は下蓋部４に貼付及び装着するか、その情報を容器本体２や上蓋部３、下蓋部４の外面に直接印刷してもよく、上述のような情報を表示内容に含ませるので、宣伝効果も得られ、広告媒体として用いることができる。
【００１７】
一方、記念品Ａを、容器本体２内部に対して下端側開口部２ｂから収容する場合、上蓋部３を、容器本体２の上端側開口部２ａに嵌合して、記念品Ａを、容器本体２内部に対して下端側開口部２ｂから収容する。続いて、下蓋部４を、容器本体２の下端側開口部２ｂに嵌合して閉塞した後、容器本体２の開口部２ａ，２ｂを、上述の密封機５により密封及びシールする。
【００１８】
また、記念品Ａを、容器本体２内部に対して上下開口部２ａ，２ｂの何れか一方から収容した後、上蓋部３及び下蓋部４を、容器本体２の開口部２ａ，２ｂに対して気密状態に嵌合してもよい。且つ、上蓋部３及び下蓋部４の何れか一方を、容器本体２の開口部２ａ，２ｂに対して予め固定しておいてもよい。
【００１９】
図３は、記念品Ａが収容された容器本体２の開口部２ａ，２ｂを閉塞する作業を、気密性の高い真空室８内で行う他の抜気方法を示し、例えば記念品Ａが収容された容器本体２を真空室８内に搬入して、真空室８の搬入側及び搬出側を閉塞した後、真空室８内部の空気を、その真空室８に接続された抜気装置９の吸引力により強制的に抜き取り、略真空状態に抜気する。且つ、上蓋部３及び下蓋部４を、容器本体２の開口部２ａ，２ｂに対して上述の密封機５により気密状態に嵌合固定するので、上述の実施例と略同等の作用及び効果を奏することができる。また、記念品Ａを、容器本体２内部に対して収容する作業を真空室８内で行うこともできる。
【００２０】
次に、記念品Ａを、被収容物保存容器１から取り出す場合、図６に示すように、上蓋部３の周縁部を、例えば手動式又は電動式の缶切り等の缶開放具により切断して開放し、被収容物保存容器１に収容された記念品Ａを取り出す。また、図７に示すように、着脱可能な構造を有する上蓋部３を、容器本体２の開口部２ａから取り外して開放した後、被収容物保存容器１に収容された記念品Ａを取り出す。且つ、記念品Ａを容器本体２に収容して、上蓋部３を、容器本体２の開口部２ａに固定（例えば螺着や嵌着等）して再び閉塞すると、継続して収容することができる。なお、上蓋部３は、例えばイージーオープン型や蓋部周縁の帯部を巻取り金で巻き取って開放する構造等であってもよい。
【００２１】
以上のように、イベント会場の現場で、個人用及び贈答用の記念品Ａが収容された被収容物保存容器１を略気密状態に密封するので、現場の雰囲気も記念品Ａと一緒に密封することができ、その日の思い出を半永久的に保存しておくことができる。且つ、外光及び外気が記念品Ａに触れたり、湿気を含んだ外気が被収容物保存容器１内部に侵入するのを確実に阻止することができ、記念品Ａの変質や変色、劣化が抑えられるため、記念品Ａを長期間保存するのに最適であり、収容直後の状態を長期間保つことができる。
【００２２】
且つ、携帯可能な小型の密封機５を用いて密封するので、所望する場所及び会場に持運ぶのに大変便利であり、略気密状態に密封する作業を様々な場所及び会場で行うことができる。且つ、被収容物保存容器１内部の酸素含有率及び水分含有率が低減したり、略真空状態に抜気して密封するので、腐食や錆等が金属製の被収容物保存容器１に発生しにくく、気密性を長期間維持することができると共に、染みや皺、臭い等が記念品Ａに付くのを防止することができ、収容直後の良好な状態を半永久的に保つことができる。
【００２３】
図８は、容器本体２内部の空気中に含まれる酸素を吸着するのに適した酸素吸着剤１０と、その空気中に含まれる水分を吸着するのに適した水分吸着剤１１（又は乾燥剤）とを併用して収容した被収容物保存容器１の他の例を示し、容器本体２内部の空気中に含まれる酸素を酸素吸着剤１０により吸着して、容器本体２内部の酸素含有率を低減するので、酸素を必要とする雑菌や微生物等の繁殖及び成長が抑えられ、特に食品や飲み物等の記念品Ａを長期間保存するのに適した清潔且つ衛生的な状態を保つことができる。
【００２４】
且つ、容器本体２内部の空気中に含まれる水分を水分吸着剤１１により吸着して、容器本体２内部の水分含有率を、記念品Ａを長期間保存するのに適した状態に低減するので、腐食や錆等が金属製の被収容物保存容器１に発生しにくく、染みや皺、臭い等が記念品Ａに付くのを防止することができ、保存状態が良好で、収容直後の状態を長期間保つことができると共に、上述の実施例と略同等の作用及び効果を奏することができる。
【００２５】
また、記念品Ａを、被収容物保存容器１から取り出す場合、上蓋部３を、容器本体２の開口部２ａから取り外して開放するが、上蓋部３が着脱可能な構造を有している場合、記念品Ａを容器本体２に収容して、上蓋部３を、容器本体２の開口部２ａに固定して再び密封すると、酸素吸着剤１０及び水分吸着剤１１による作用及び効果が継続して得られる。また、上述の酸素吸着剤１０及び水分吸着剤１１の何れか一方を用いるか、容器本体２内周面に予め塗りつけておいてもよい。
【００２６】
図９は、容器本体２の略全体を、その容器本体２内部に収容された記念品Ａを外部から目視可能に設けた被収容物保存容器１のその他の例を示し、被収容物保存容器１を構成する容器本体２及び上蓋部３、下蓋部４を、例えばプラスチックやガラス等の透光性を有する材質で透明又は半透明に形成するので、被収容物保存容器１内部に収容された記念品Ａを人の目Ｃで外部から目視及び確認することができ、例えば結婚や出産、葬儀等で用いられる写真を被収容物保存容器１に収容した場合、その被収容物保存容器１を写真立てとして用いることができる。且つ、上述の実施例と略同等の作用及び効果を奏することができる。加えて、記念品Ａの変色や劣化等の原因となる波長の光線を遮光するのに適した透光性の材質で形成すると、外光による変色や劣化を防止することができる。
【００２７】
また、被収容物保存容器１の一部と対応する容器本体２や上蓋部３、下蓋部４又は容器本体２や上蓋部３、下蓋部４の一部を、透光性を有する材質で透明又は半透明に形成してもよい。或いは、被収容物保存容器１内部に収容された記念品Ａを目視するための窓部（図示省略）を、容器本体２の側壁や上蓋部３、下蓋部４に設けてもよく、その窓部を、例えばプラスチックやガラス等の透光性を有する部材で閉塞することもできる。
【００２８】
上述の実施例では、被収容物保存容器１内部の空気及び空気を強制的に抜き取り、略真空状態に抜気して密封するが、例えば変質や変色、劣化等を防止するのに適した不活性の気体や液体を被収容物保存容器１内部に注入してもよく、記念品Ａが外気と接触することがなく、保存期間の延長を図ることができる。
【図面の簡単な説明】
【図１】被収容物保存容器の製造方法を示す斜視図。
【図２】被収容物保存容器の密封方法を示す斜視図。
【図３】被収容物保存容器の他の密封方法を示す斜視図。
【図４】記念品の収容状態を示す斜視図。
【図５】記念品の収容状態を示す縦断側面図。
【図６】記念品の取り出し方法を示す斜視図。
【図７】記念品の他の取り出し方法を示す斜視図。
【図８】被収容物保存容器の他の例を示す縦断側面図。
【図９】被収容物保存容器のその他の例を示す縦断側面図。
【符号の説明】
Ａ…記念品
Ｂ…表示ラベル
１…被収容物保存容器
２…容器本体
３…上蓋部
４…下蓋部
５…密封機
７，９…抜気装置
８…真空室
１０…酸素吸着剤
１１…水分吸着剤
【図１】
2004042914.tif 000003
【図２】
2004042914.tif 000004
【図３】
2004042914.tif 000005
【図４】
2004042914.tif 000006
【図５】
2004042914.tif 000007
【図６】
2004042914.tif 000008
【図７】
2004042914.tif 000009
【図８】
2004042914.tif 000010
【図９】
2004042914.tif 000011